(57)【要約】【課題】バスケット本体と蓋との間にテーブルを収納しないものでありながらも、バスケットとは別にテーブルを持ち運ぶ必要がないようにできるバスケットを提供する。【解決手段】バスケット１は、バスケット本体２と、バスケット本体２に対し取外し可能に取り付けられた蓋３と、を備える。蓋３は、テーブル面４１１を含む蓋体４と、蓋体４に対し、蓋体４を支える使用位置と収納位置とで切替え可能に取り付けられた脚５と、を有する。【選択図】図３
2020151295.tif 000002
【特許請求の範囲】
【請求項１】
バスケット本体と、
前記バスケット本体に対し取外し可能に取り付けられた蓋と、
を備え、
前記蓋は、
テーブル面を含む蓋体と、
前記蓋体に対し、前記蓋体を支える使用位置と収納位置とで切替え可能に取り付けられた脚と、
を有する、
バスケット。
【請求項２】
前記収納位置にある前記脚は、前記蓋体に沿っており、
前記蓋体は、前記脚を前記収納位置に保つ保持部を有する、
請求項１記載のバスケット。
【請求項３】
前記バスケット本体の側壁は、
硬質部と、
前記硬質部に対して上下方向の少なくとも一方に接続され、前記硬質部よりも軟らかい軟質部と、
を有し、
前記側壁は、前記軟質部で折畳み可能に構成されている、
請求項１又は請求項２記載のバスケット。
【請求項４】
前記バスケット本体は、水抜き穴を有する、
請求項１〜３のいずれか一項に記載のバスケット。
【請求項５】
吊下げ部材を通すための穴部を有する吊下げ部を更に備える、
請求項１〜４のいずれか一項に記載のバスケット。
【請求項６】
前記蓋体は、前記テーブル面から凹むカップホルダを有する、
請求項１〜５のいずれか一項に記載のバスケット。
【発明の詳細な説明】
【技術分野】
【０００１】
本発明は、バスケットに関し、より詳細には、蓋を有するバスケットに関する。
【背景技術】
【０００２】
特許文献１には、従来のバスケットが開示されている。この特許文献１に記載のバスケットは、容器本体と、蓋体と、容器本体内に収納されたテーブルと、を備える。特許文献１に記載のバスケットでは、容器本体にテーブルを収容した状態で運ぶことができるため、バスケットの中の飲食物を取り出す際に、直ちにテーブルを使用することができる。特許文献１に記載のバスケットによれば、バスケットとは別にテーブルを持ち運ぶ必要がないという利点がある。
【先行技術文献】
【特許文献】
【０００３】
【特許文献１】特開平０９−１７３１２５号公報
【発明の概要】
【発明が解決しようとする課題】
【０００４】
ところで、特許文献１に記載のバスケットでは、容器本体に飲食物を収納した後、テーブルを容器本体の中に収納することを忘れて、蓋体を取り付ける可能性がある。容器本体の中にテーブルを収納する構造では、容器本体に蓋体を取り付けた後、テーブルを収納し忘れていることを気付くことはできない。
【０００５】
本発明は、上記事情に鑑みてなされ、バスケット本体と蓋との間にテーブルを収納しないものでありながらも、バスケットとは別にテーブルを持ち運ぶ必要がないようにできるバスケットを提供することを目的とする。
【課題を解決するための手段】
【０００６】
本発明に係る一態様のバスケットは、バスケット本体と、前記バスケット本体に対し取外し可能に取り付けられた蓋と、を備える。前記蓋は、テーブル面を含む蓋体と、前記蓋体に対し、前記蓋体を支える使用位置と収納位置とで切替え可能に取り付けられた脚と、を有する。
【発明の効果】
【０００７】
本発明に係る上記態様のバスケットは、バスケット本体と蓋との間にテーブルを収納しないものでありながらも、バスケットとは別にテーブルを持ち運ぶ必要がないようにできる、という利点がある。
【図面の簡単な説明】
【０００８】
【図１】図１は、本発明の一実施形態に係るバスケットの斜視図である。
【図２】図２Ａは、同上のバスケットにおいて、脚が収納位置にある蓋の断面図である。図２Ｂは、同上のバスケットにおいて、脚が使用位置にある蓋の断面図である。
【図３】図３は、同上のバスケットにおいて、蓋をテーブルとして用いた状態の斜視図である。
【図４】図４は、同上のバスケット本体の断面図である。
【図５】図５は、同上のバスケット本体を折り畳んだ状態の断面図である。
【図６】図６は、同上のバスケットにおいて、折り畳んだ状態のバスケット本体に蓋を取り付けた断面図である。
【図７】図７Ａは、同上のバスケットを吊り下げ部材によって吊下げた斜視図である。図７Ｂは、同上のバスケットを吊り下げ部材によって吊下げた断面図である。
【図８】図８は、同上のバスケットにおいて、水が貯まった状態のバスケット本体の断面図である。
【発明を実施するための形態】
【０００９】
（１）実施形態
【００１０】
以下、本実施形態に係るバスケット１について詳細に説明する。本実施形態に係るバスケット１は、例えば、弁当、パン及びドリンク８等の飲食物、ナフキン、コップ等の収納物を収納して、持ち運ぶためのかごである。収納物としては、飲食物及びナフキンのほか、例えば、電気機器、書籍、衣類、小動物等であってもよく、特に制限はない。
【００１１】
本実施形態に係るバスケット１は、図１に示すように、蓋３と、バスケット本体２と、一対の持ち手６と、を備える。以下では、蓋３の短辺に沿う方向を「前後方向」として定義し、蓋３の長辺に沿う方向を「左右方向」として定義する。ただし、これら方向の定義は、説明のために定義しているに過ぎず、蓋３の形状や、バスケット１の使用態様を限定する意図はない。
（１．１）蓋
【００１２】
蓋３は、バスケット本体２に対して、取外し可能に取り付けられる。蓋３は、バスケット本体２に取り付けられると、バスケット本体２の開口面を覆う。本実施形態に係る蓋３は、図２Ａ，図２Ｂに示すように、蓋体４と、複数（ここでは一対）の脚５と、一対のロック部４３（図１）と、を備える。
【００１３】
蓋体４は、蓋３の主体をなす部分である。蓋体４は、図２Ａに示すように、天板部４１と、側板部４２と、を備える。天板部４１は、水平面に沿って形成されている。本実施形態に係る天板部４１は、平面視略矩形状の板体で構成されており、例えば、合成樹脂で形成されている。合成樹脂としては、例えば、ＰＳ（ポリスチレン）、ＰＥ（ポリエチレン）、ＰＶＣ（ポリ塩化ビニル）、ＰＰ（ポリプロピレン）、ＡＢＳ（アクリロニトリル・ブタジエン・スチレン）樹脂等が挙げられる。天板部４１の上面は、図３に示すように、テーブル面４１１と、複数（ここでは二つ）のカップホルダ４１２と、を含む。
【００１４】
テーブル面４１１は、テーブルとして使用し得る面である。本実施形態に係るテーブル面４１１は、蓋体４の上面で構成されている。本実施形態に係るテーブル面４１１は、上方向に向いており、水平面に沿っている。
【００１５】
カップホルダ４１２は、ドリンク８を置くための凹みである。本実施形態に係るカップホルダ４１２は、天板部４１の角部に形成されており、より詳細には、四つの角部のうちの対角となる二つの角部に形成されている。各カップホルダ４１２は、平面視略円形状に形成されている。ここでいう「ドリンク８」とは、例えば、飲料水が入ったコップ、飲料水が入ったグラス、飲料水が入ったマグカップ、飲料水の缶等が挙げられる。
【００１６】
カップホルダ４１２は、テーブル面４１１から凹んでおり、その底面がテーブル面４１１の下方に位置している。カップホルダ４１２の底面は、水平面に沿っている。カップホルダ４１２の内周面は、底面の外周全周にわたって形成されており、平面視においてカップホルダ４１２の中心から離れるに従って、上方向に行くように、底面に対して傾斜している。カップホルダ４１２の内周面は、カップホルダ４１２にドリンク８を置くと、ドリンク８の外周面に対向する。本実施形態では、底面と内周面との間の角が鈍角であるため、仮にカップホルダ４１２内にドリンク８の液体がこぼれても、容易に拭き掃除を行うことができる。
【００１７】
側板部４２は、蓋３の厚みを構成する部分であり、図２Ａに示すように、天板部４１の外周端から下方向に突出している。側板部４２は、天板の外周端の全周にわたって形成されている。本実施形態に係る蓋体４では、側板部４２と天板部４１とは一体である。
【００１８】
脚５は、蓋体４に対し、収納位置（図２Ａ）と使用位置（図２Ｂ）とで切替え可能に取り付けられている。本開示でいう「使用位置」とは、載置面上で蓋体４を支えることが可能な脚５の位置を意味する。「収納位置」とは、脚５を使用しないときに収納した状態の脚５の位置を意味する。また、本開示でいう「載置面」は、バスケット１を置く面を意味する。載置面は、例えば、床面、地面、カーペットの上面等が挙げられ、平面であるか否かは問わない。以下では、載置面は水平な平面であるとして説明するが、不陸を有する面や傾斜面であってもよい。
【００１９】
本実施形態に係る脚５は、一の線材に対し、曲げ加工を施すことで形成されている。ただし、本開示に係る脚５は、一の線材で構成されたものに限らず、複数の材料を溶接で接合して構成されてもよい。また、脚５の材質は、線材（金属）の他に、合成樹脂、カーボン等の炭素繊維、木質材料等であってもよく、材質に制限はない。各脚５は、一対の軸部５３と、支持部５１１と、一対の脚柱部５１と、一対の接地部５２（図３）と、凹部５２１（図３）と、を備える。
【００２０】
軸部５３は、蓋体４に対する脚５の接続部分である。軸部５３は、前後方向に延びており、軸部５３の中心軸は、前後方向に略平行である。軸部５３は、蓋体４の下面に形成された軸受け４１３によって、回転可能に取り付けられている。軸部５３の回転軸は、軸部５３の中心軸と同じであり、要するに、脚５の回転軸は、軸部５３の中心軸である。本実施形態に係る軸部５３は、蓋体４において左右方向の端部に取り付けられている。
【００２１】
支持部５１１は、脚５が使用位置に切り替えられた状態で、蓋体４の下面に当たる部分である。支持部５１１は、軸部５３の中心軸に対して交差する方向に延びている。本実施形態に係る支持部５１１は、脚５が収納位置にあると、下方向に行くに従って左右方向の中央側に行くように、鉛直面に対して傾斜しており、支持部５１１の下端部は、蓋体４の下端よりも下方向に突出している。
【００２２】
脚柱部５１は、脚５が使用位置に切り替えられた状態で、載置面と蓋体４との距離を保つ部分である。脚柱部５１は、支持部５１１に対して交差する方向に延びている。脚柱部５１は、脚５が収納位置にあると、図２Ａに示すように、左右方向の中央側に行くに従って上方向に行くように、水平面に対して傾斜している。このとき、脚柱部５１の上端部は、蓋体４の下端よりも上方に位置する。一方、脚柱部５１は、脚５が使用位置にあると、図２Ｂに示すように、下方向に行くに従って左右方向の外側に行くように、水平面に対して傾斜している。したがって、本実施形態に係る蓋３によれば、脚５を使用位置に切り替えた状態では、載置面上で安定して自立する。
【００２３】
接地部５２は、載置面に載る部分である。本実施形態に係る接地部５２は、図３に示すように、脚柱部５１から前後方向に沿って延びている。一対の接地部５２は、一直線上に位置している。接地部５２は、脚５が収納位置にあると、図２Ａに示すように、蓋体４の下端よりも上方に位置する。要するに、接地部５２は、脚５が収納位置にあると、蓋体４の厚み内に配置される。
【００２４】
凹部５２１は、図３に示すように、一対の接地部５２の間に位置している。凹部５２１は、脚５が収納位置にあると、図２Ａに示すように、天板部４１の裏面に形成された保持部４１４によって保持される。
【００２５】
ここで、本実施形態に係る保持部４１４は、天板部４１に形成されている。保持部４１４は、例えば、天板部４１の一部を弾性変形させて凹部５２１を引掛けるスナップフィット構造、嵌合構造、閂によって凹部５２１を保持する構造等のような機械的な保持構造のほか、面ファスナー、磁力、粘着等を利用した保持構造によっても実現される。
【００２６】
本実施形態に係る保持部４１４は、凹部５２１を保持することで、脚５を収納位置に保つが、本開示に係る保持部４１４は、凹部５２１を保持することに限らない。保持部４１４は、例えば、軸部５３に対して力を加えることで、脚５を収納位置に保ってもよく、脚５の少なくとも一部に力を加えて、脚５を収納位置に保つことができればよい。また、保持部４１４は、天板部４１になくてもよく、側板部４２が有してもよい。
【００２７】
脚５を収納位置に切り替えると、図２Ａに示すように、脚５は蓋体４に沿う。このため、バスケット本体２に収納物を収納した状態でも、脚５が邪魔にならないで、蓋３をバスケット本体２に取り付けることができる。一方、脚５を使用位置に切り替えると、図３に示すように、蓋体４は脚５によって載置面上に支えられる。この状態にある蓋３では、テーブル面４１１に物を置いたり、ドリンク８をカップホルダ４１２に置いたりすることができ、要するに、テーブルとして使用することができる。したがって、本実施形態に係るバスケット１によれば、蓋３をテーブルとして使用することができるため、別途テーブルを持ち運ぶ必要がない。
【００２８】
ロック部４３は、蓋体４がバスケット本体２に取り付けられた状態を保つための部材である。本実施形態に係るロック部４３は、蓋体４に対して回転可能に取り付けられている。ロック部４３の回転軸は、蓋体４の上面のうち前後方向の縁に沿って延びている。本実施形態に係るロック部４３は、バスケット本体２に対して引掛ける位置と、引掛けを解除する位置と、に切り替えることができる。
（１．２）バスケット本体
【００２９】
バスケット本体２は、バスケット１の主体をなす。バスケット本体２は、図４に示すように、内部に収納空間を有しており、収納空間に収納物を収めることができる。本実施形態に係るバスケット本体２は、上面に開口面を有しており、開口面を通して収納物の出し入れが行われる。本実施形態に係るバスケット本体２は、側壁２１と、底壁２５と、を備える。
【００３０】
側壁２１は、バスケット本体２の周囲の壁であり、底壁２５の外周端から上方向に突出している。本実施形態に係る側壁２１は、折畳み可能に構成されている。本実施形態に係る側壁２１は、複数（ここでは二つ）の硬質部２２と、軟質部２３と、を備える。
【００３１】
硬質部２２は、一定以上の剛性を持つ部分である。本実施形態に係る硬質部２２は、合成樹脂で構成されている。合成樹脂としては、例えば、ＰＳ（ポリスチレン）、ＰＥ（ポリエチレン）、ＰＶＣ（ポリ塩化ビニル）、ＰＰ（ポリプロピレン）、ＡＢＳ（アクリロニトリル・ブタジエン・スチレン）樹脂等が挙げられる。ただし、本開示でいう硬質部２２は、合成樹脂に限らず、カーボン等の炭素繊維、木質材料、金属等であってもよく、材質に制限はない。なお、本開示でいう「硬質部２２」は、「軟質部２３」よりも硬いことを相対的な意味で用いているに過ぎず、絶対的な硬さを意味するものではない。バスケット本体２は、図４に示すように、硬質部２２として、下硬質部２２２と、上硬質部２２１と、を備える。
【００３２】
下硬質部２２２は、軟質部２３の下方に位置する部分であり、バスケット本体２の側壁２１の下端部を構成する。本実施形態に係る下硬質部２２２は、筒状に形成されている。本実施形態に係る下硬質部２２２は、底壁２５の外周端から上方向に突出している。本実施形態に係る下硬質部２２２は、射出成形や注型成形等の樹脂成形により、底壁２５と一体に成形されている。
【００３３】
上硬質部２２１は、バスケット本体２の開口面を形成する部材であり、バスケット本体２の上端部を構成する。上硬質部２２１は、筒状に形成されている。上硬質部２２１の内面は、平面視において、下硬質部２２２よりも大きく形成されている。これによって、図５に示すように、バスケット本体２が折り畳まれると、下硬質部２２２は、上硬質部２２１の内側に配置される。本実施形態に係る上硬質部２２１の上下方向の長さは、下硬質部２２２の上下方向の長さと略同じである。
【００３４】
軟質部２３は、硬質部２２よりも軟らかい部分である。軟質部２３は、弾性変形可能な材質で構成されている。要するに軟質部２３は可とう性を有する。本実施形態に係る軟質部２３は、熱可塑性エラストマにより構成されているが、本開示に係る軟質部２３は、熱可塑性エラストマに限らず、例えば、熱硬化性エラストマ、軟質樹脂、天然ゴム、金属、布等であってもよい。また、硬質部２２と硬質部２２とは同じ素材であってもよく、この場合、軟質部２３の少なくとも一部の厚さを、硬質部２２の厚さよりも薄くすればよい。
【００３５】
軟質部２３の下端部は、下硬質部２２２の上端部に接続されている。また、軟質部２３の上端部は、上硬質部２２１の下端部に接続されている。軟質部２３と下硬質部２２２との接続、及び軟質部２３と上硬質部２２１との接続は、例えば、溶着、接着、二色成形等により実現される。
【００３６】
バスケット本体２の側壁２１は、硬質部２２と軟質部２３とを有しているため、図５に示すように、折り畳むことができる。折り畳んだ状態のバスケット本体２は、折り畳んでいない状態のバスケット本体２よりも上下方向の長さ（高さ）が短い。バスケット本体２が折り畳まれると、下硬質部２２２は、上硬質部２２１の内側に位置する。
【００３７】
ここで、図６には、折り畳まれた状態の側壁２１を持つバスケット本体２に対して、脚５が収納位置にある蓋３を取り付けた状態の断面図を示す。図６に示すように、蓋３の脚５は、下硬質部２２２の内側に収まる。したがって、本実施形態に係るバスケット１によれば、バスケット本体２を折り畳んだ状態であっても、脚５を有する蓋３を取り付けることができる。この状態では、バスケット１は、図７Ａに示すように、扁平である。
【００３８】
ここで、本実施形態に係るバスケット１は、図７Ａに示すように、吊下げ部２４を有する。吊下げ部２４は、折り畳まれた状態のバスケット１を吊り下げておく際に用いられる部分である。本実施形態に係る吊下げ部２４は、側壁２１のうちの硬質部２２（上硬質部２２１）に取り付けられている。吊下げ部２４と硬質部２２とは一体に形成されているが、ねじ等の機械的結合、接着、溶着等によって、後付的に取り付けられてもよい。また、吊下げ部２４は、蓋３の蓋体４の側板部４２に設けられてもよい。吊下げ部２４は、図７Ｂに示すように、吊下げ部材７を通すための穴部２４１を有する。
【００３９】
ここでいう「吊下げ部材７」は、バスケット１を吊り下げる際に用いられる部材を意味する。吊下げ部材７としては、例えば、紐、ロープ、ワイヤー、針金、フック等が挙げられる。例えば、穴部２４１に吊下げ部材７が通され、輪状にした上で、壁面に設けられた壁掛けに吊下げ部材７が吊るされることで、バスケット１を壁面に沿って収納しておくことができる。
【００４０】
底壁２５は、バスケット１を載置面に置いた状態で、載置面に対向する。本実施形態に係る底壁２５は、バスケット本体２の下端部を構成する。バスケット本体２は、図８に示すように、底壁２５から下方向に突出する足２５３を有し、上げ底状に形成されている。これによって、底壁２５と載置面との間に隙間が形成される。
【００４１】
本実施形態に係るバスケット本体２は、図８に示すように、水抜き穴２５１と、水抜き穴２５１を塞ぐ栓２５２と、を有する。水抜き穴２５１は、バスケット本体２に貯まった水を排出するための穴である。本実施形態に係る水抜き穴２５１は、底壁２５の上面と下面とにわたって貫通する。ただし、本開示に係る水抜き穴２５１は、バスケット本体２の側壁２１に形成されてもよい。この場合、水抜き穴２５１は、底壁２５の上面に沿うように形成されることが好ましい。
【００４２】
栓２５２は、水抜き穴２５１を開閉可能に塞ぐ。本実施形態に係る栓２５２は、水抜き穴２５１の上面を上から塞ぐ。なお、本開示に係る栓２５２は、水抜き穴２５１に対して下から塞いでもよい。本実施形態に係る栓２５２は、底壁２５につながっているが、本開示では、底壁２５と離れていてもよい。
【００４３】
本実施形態に係るバスケット１によれば、例えば、ユーザは、水を貯めたバスケット本体２を用いて、皿等を洗うことができる。その後、水抜き穴２５１を利用して、バスケット本体２から水を排出することができる。
（１．３）持ち手
【００４４】
持ち手６は、バスケット本体２を持ち運ぶ際に、ユーザが持つ部分である。本実施形態に係るバスケット１は、図１に示すように、一対の持ち手６を備える。本実施形態に係る持ち手６は、バスケット本体２の側壁２１に対して、回転可能に取り付けられている。持ち手６の回転軸は、前後方向に沿っており、左右方向の中央部分に位置する。持ち手６は、蓋体４の天板部４１に対して、テーブル面４１１沿った位置（ここでは天板部４１とのなす角が約０°）から起立する位置（ここでは天板部４１とのなす角が約９０°）まで回転し得る。したがって、本実施形態に係る持ち手６は、図７に示すように、収納時において、天板部４１の側板部４２に対向させることができ、邪魔になりにくい。
（２）変形例
【００４５】
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００４６】
上記実施形態に係るバスケット１は、バスケット本体２に対して回転可能に取り付けられた一対の持ち手６を有していたが、本開示では、一対の持ち手６は、バスケット本体２に対して回転不能に取り付けられてもよい。また、持ち手６は、蓋体４に対して回転可能に取り付けられてもよい。さらに、本開示に係るバスケット１では、持ち手６として、肩掛けが可能なショルダーベルトを採用してもよい。
【００４７】
上記実施形態に係るバスケット本体２は、折畳み可能に構成されたが、本開示に係るバスケット本体２は、折り畳みができない容器であってもよい。
【００４８】
上記実施形態に係るバスケット本体２は、軟質部２３の上下方向の両側に硬質部２２を有したが、本開示に係るバスケット本体２では、硬質部２２は、軟質部２３の上下方向の上側にのみ接続されてもよい。また、軟質部２３は、複数個所に設けられてもよい。
【００４９】
上記実施形態に係るバスケット本体２は、合成樹脂によって形成されており、水を貯めることができたが、本開示に係るバスケット本体２は、籐等の植物繊維で編んだ容器であってもよい。
【００５０】
上記実施形態に係るバスケット１では、一対の脚５が回転軸を中心に回転することで、使用位置と収納位置とで切り替えられたが、本開示に係る脚５は、例えば、テレスコピックパイプを利用して伸縮可能に構成されてもよいし、折り畳むことで収納位置に切り替えられてもよい。
【００５１】
本開示にて、「略平行」のように「略」を伴った表現が、用いられる場合がある。例えば、「略平行」とは、実質的に「平行」であることを意味し、厳密に「平行」な状態だけでなく、数度程度の誤差を含む意味である。他の「略」を伴った表現についても同様である。
【００５２】
本開示において「前端部」及び「前端」などのように、「・・・端部」と「・・・端」とで区別した表現が用いられている。例えば、「前端部」とは、「前端」を含む一定の範囲を持つ部分を意味する。他の「・・・端部」を伴った表現についても同様である。
【００５３】
本開示でいう「傾斜面」は、平面及び曲面のいずれをも含む。
（３）態様
【００５４】
以上説明したように、第１の態様に係るバスケット１は、バスケット本体２と、バスケット本体２に対し取外し可能に取り付けられた蓋３と、を備える。蓋３は、テーブル面４１１を含む蓋体４と、蓋体４に対し、蓋体４を支える使用位置と収納位置とで切替え可能に取り付けられた脚５と、を有する。
【００５５】
この態様によれば、蓋３をテーブルとして使用することができる。このため、ユーザは、別途テーブルを持ち運ぶ必要がない。
【００５６】
第２の態様に係るバスケット１では、第１の態様において、収納位置にある脚５は、蓋体４に沿っている。蓋体４は、脚５を収納位置に保つ保持部４１４を有する。
【００５７】
この態様によれば、蓋３として使用する際にも、脚５が邪魔になりにくい。
【００５８】
第３の態様に係るバスケット１では、第１又は第２の態様において、バスケット本体２の側壁２１は、硬質部２２と、硬質部２２に対して上下方向の少なくとも一方に接続され、硬質部２２よりも軟らかい軟質部２３と、を有する。側壁２１は、軟質部２３で折畳み可能に構成されている。
【００５９】
この態様によれば、バスケット１を使用しないときには、折り畳んでおくことができ、収納性を高くすることができる。
【００６０】
第４の態様に係るバスケット１では、第１〜３のいずれか１つの態様において、バスケット本体２は、水抜き穴２５１を有する。
【００６１】
この態様によれば、バスケット本体２の中に貯まった水を効果的に排出することができる。
【００６２】
第５の態様に係るバスケット１では、第１〜４のいずれか１つの態様において、吊下げ部材７を通すための穴部２４１を有する吊下げ部２４を更に備える。
【００６３】
この態様によれば、例えば、バスケット１を使用しないときに、バスケット１を吊るしておくことができる。
【００６４】
第６の態様に係るバスケット１では、第１〜５のいずれか１つの態様において、蓋体４は、テーブル面４１１から凹むカップホルダ４１２を有する。
【００６５】
この態様によれば、蓋３をテーブルとして使用する際に、ドリンク８を安定して置くことができる。
【００６６】
第２〜第６の態様に係る構成については、バスケット１に必須の構成ではなく、適宜省略可能である。
【符号の説明】
【００６７】
１        バスケット
２        バスケット本体
２１      側壁
２２      硬質部
２３      軟質部
２４      吊下げ部
２４１    穴部
２５１    水抜き穴
３        蓋
４        蓋体
４１１    テーブル面
４１２    カップホルダ
４１４    保持部
５        脚
７        吊下げ部材
【図１】
2020151295.tif 000003
【図２】
2020151295.tif 000004
【図３】
2020151295.tif 000005
【図４】
2020151295.tif 000006
【図５】
2020151295.tif 000007
【図６】
2020151295.tif 000008
【図７】
2020151295.tif 000009
【図８】
2020151295.tif 000010